(57)【要約】要約課題  ペーパーロールからのペーパーの送り出しと切断を電動手段によって自動的に行うようにしたペーパーホルダー装置において、構造の簡略化及び低コスト化を実現する。解決手段  ペーパー支持機構５と、ペーパー送り機構６と、ペーパー受部３と、上記ペーパー１０ａを切断するペーパー切断機構７を備えてなるペーパーホルダー装置において、ペーパー送り機構６とペーパー切断機構７を、単一の駆動ギヤ機構９によって択一的に駆動するように構成し、例えば２モータ式の駆動機構を備えた従来のペーパーホルダー装置に比して、モータの設置数の減少によって外観形体のコンパクト化及び低コスト化が図られるとともに、駆動機構の構造の簡略化が促進されるようにする。
2012117582.tif 000002
【特許請求の範囲】
【請求項１】
ペーパーロール（１０）を巻戻し可能に支持するペーパー支持機構（５）と、該ペーパーロール（１０）からペーパー（１０ａ）を巻戻して送り出すペーパー送り機構（６）と、上記ペーパー送り機構（６）から送り出されるペーパー（１０ａ）を順次ジグザグ状に折り畳んでこれを保持するペーパー受部（３）と、上記ペーパー送り機構（６）と上記ペーパー受部（３）の間で上記ペーパー（１０ａ）を切断するペーパー切断機構（７）を備えてなるペーパーホルダー装置であって、
上記ペーパー送り機構（６）とペーパー切断機構（７）を、単一の駆動ギヤ機構（９）によって択一的に駆動することを特徴とするペーパーホルダー装置。
【請求項２】
請求項１において、
上記駆動ギヤ機構（９）は、可逆回転するモータ（６１）と、該モータ（６１）の駆動力を受けて正転方向と逆転方向へ選択的に回転駆動され且つ上記駆動力によって第１の位置と第２の位置の間で揺動変位する駆動ギヤ（６４）を備えるとともに、
上記駆動ギヤ（６４）は、上記第１の位置に設定された状態では上記ペーパー送り機構（６）に備えられた送りギヤユニット（６８）に噛合して該ペーパー送り機構（６）を回転駆動する一方、上記第２の位置に設定された状態では上記ペーパー切断機構（７）に備えられた切断駆動ギヤ（５９）に噛合して該ペーパー切断機構（７）を回転駆動するように構成されたことを特徴とするペーパーホルダー装置。
【請求項３】
請求項１において、
人の手の接近の有無を検知する第１センサ（１０１）と、上記ペーパー受部（３）におけるペーパー（１０ａ）の有無を検知する第２センサ（１０２）を備え、
上記駆動ギヤ機構（９）は、上記第１センサ（１０１）が人の手の接近を検知し且つ上記第２センサ（１０２）がペーパー（１０ａ）の不存在を検知したときにその作動が開始される構成であることを特徴とするペーパーホルダー装置。
【請求項４】
略矩形箱状の外観形体をもち側壁面（Ｗ）に取付けられるホルダー本体部（２）内に、ペーパーロール（１０）を巻戻し可能に支持するペーパー支持機構（５）と、該ペーパーロール（１０）からペーパー（１０ａ）を巻戻して送り出すペーパー送り機構（６）と、上記ペーパー送り機構（６）から送り出されるペーパー（１０ａ）を順次ジグザグ状に折り畳んでこれを取出口（３４）から取出し可能に保持するペーパー受部（３）と、上記ペーパー送り機構（６）と上記ペーパー受部（３）の間で上記ペーパー（１０ａ）を切断するペーパー切断機構（７）を備えるとともに、上記ホルダー本体部（２）の四つの側壁面（２ａ）〜（２ｄ）の何れか一の側壁面（２ａ）部分に上下方向に開閉される開閉カバー（４）が設けられたペーパーホルダー装置であって、
上記ホルダー本体部（２）の四つの側壁面（２ａ）〜（２ｄ）のうち、上記開閉カバー（４）が配置された側壁面（２ａ）を除く他の三つの側壁面（２ｂ）〜（２ｄ）を、選択的に上記側壁面（Ｗ）への取付面として利用し得るように構成したことを特徴とするペーパーホルダー装置。
【請求項５】
請求項４において、
上記取出口（３４）が、上記ホルダー本体部（２）の四つの側壁面（２ａ）〜（２ｄ）の何れか一の側壁面（２ａ）に対応する部位に、又は何れか二の側壁面（２ａ）、（２ｂ）のそれぞれに対応する部位に、又は何れか三の側壁面（２ａ）、（２ｂ）、（２ｃ）にそれぞれ対応する部位に、又は四つの側壁面（２ａ）〜（２ｄ）の全てにそれぞれ対応する部位に、設けられていることを特徴とするペーパーホルダー装置。
【発明の詳細な説明】
【技術分野】
【０００１】
本願発明は、トイレットペーパーをロール状に巻回してなるペーパーロールを保持し、該ペーパーロールからのペーパーの送り出し、折畳み及び切断を、使用者の要求に応じて自動的に行い得るようにしたペーパーホルダー装置に関するものである。
【背景技術】
【０００２】
高齢化社会の到来に伴う福祉意識の高まりを背景に、高齢者の日常的な活動を介助支援するための技術が種々提案されており、その一つとして、トイレットペーパー用のペーパーホルダー装置においては、ペーパーの取り出しを容易ならしめるための技術が提案されている（特許文献１〜２参照）。【０００３】
特許文献１に示されるペーパーホルダー装置は、芯棒に支持されたロール紙から紙を一対の送りローラによって挟圧しながら引き出して順次折り畳むとともに、この折り畳み部分と上記挟圧部分の中間に配置したカッターで紙を切断するように構成したものである。この場合、駆動源として、上記送りローラを駆動するモータと、上記カッターを駆動するモータをそれぞれ別個に設けている（２モータ方式）。また、上記カッターは、固定配置された固定側カッターと、クランク機構によって水平方向に往復動される可動側カッターで構成されており、該可動側カッターの揺動機構は複雑なものとなっている。【０００４】
特許文献２に示されるペーパーホルダー装置も、上記特許文献１と同様に、ロール軸に支持されたロール紙から紙を一対の送りローラによって挟圧しながら引き出して順次折り畳むとともに、この折り畳み部分と上記挟圧部分の中間に配置したカッターで紙を切断するように構成したものである。そして、駆動源として、上記送りローラを駆動するモータと、上記カッターを駆動するモータをそれぞれ別個に設けている（２モータ方式）。また、上記カッターは、固定刃と該固定刃に接離するように揺動する可動刃で構成されており、該可動刃の揺動機構は複雑なものとなっている。
【先行技術文献】
【特許文献】
【０００５】
【特許文献１】特開２０００−２８７８７２号公報
【特許文献２】特開２００３−７２９９８号公報
【発明の概要】
【発明が解決しようとする課題】
【０００６】
これら特許文献１、２にそれぞれ示されたペーパーホルダー装置では、ロール紙から紙を引き出し、これを折り畳み、さらにこの折り畳まれた紙を切断してロール紙から分離させるという一連の動作が自動的に行われるため、例えば、手でロール紙から紙を引き出して折り畳み、この折畳紙をロール紙から引き千切って使用するように構成された従来一般的なペーパーホルダー装置に比して、紙の取り出しが容易であり、特に高齢者にとっては好ましいものといえる。【０００７】
しかし、その反面、これら特許文献１、２にそれぞれ示されたペーパーホルダー装置では、駆動源として、紙送り用のモータと紙切断用のモータをそれぞれ個別に備えた２モータ方式の構成であることから、これら各モータの配置スペースが大きく且つその駆動機構も複雑となり、設置場所の関係からコンパクト性が要求されるペーパーホルダー装置とし
ては好適とは言えず、またモータの設置数が多い分だけコストアップになるという問題もあった。【０００８】
そこで本願発明は、ペーパーロールからのペーパーの送り出しと、送り出されたペーパーの切断を電動で自動的に行うようにしたペーパーホルダー装置において、構造の簡略化及び低コスト化を実現することを主たる目的としてなされたものである。
【課題を解決するための手段】
【０００９】
本願発明ではかかる課題を解決するための具体的手段として次のような構成を採用している。【００１０】
本願の第１の発明では、ペーパーロール１０を巻戻し可能に支持するペーパー支持機構５と、該ペーパーロール１０からペーパー１０ａを巻戻して送り出すペーパー送り機構６と、上記ペーパー送り機構６から送り出されるペーパー１０ａを順次ジグザグ状に折り畳んでこれを保持するペーパー受部３と、上記ペーパー送り機構６と上記ペーパー受部３の間で上記ペーパー１０ａを切断するペーパー切断機構７を備えてなるペーパーホルダー装置において、上記ペーパー送り機構６とペーパー切断機構７を、単一の駆動ギヤ機構９によって択一的に駆動することを特徴としている。【００１１】
本願の第２の発明では、上記第１の発明に係るペーパーホルダー装置において、上記駆動ギヤ機構９が、可逆回転するモータ６１と、該モータ６１の駆動力を受けて正転方向と逆転方向へ選択的に回転駆動され且つ上記駆動力によって第１の位置と第２の位置の間で揺動変位する駆動ギヤ６４を備えるとともに、上記駆動ギヤ６４は、上記第１の位置に設定された状態では上記ペーパー送り機構６に備えられた送りギヤユニット６８に噛合して該ペーパー送り機構６を回転駆動する一方、上記第２の位置に設定された状態では上記ペーパー切断機構７に備えられた切断駆動ギヤ５９に噛合して該ペーパー切断機構７を回転駆動するように構成されたことを特徴としている。【００１２】
本願の第３の発明では、上記第１の発明に係るペーパーホルダー装置において、人の手の接近の有無を検知する第１センサ１０１と、上記ペーパー受部３におけるペーパー１０ａの有無を検知する第２センサ１０２を備え、上記駆動ギヤ機構９が、上記第１センサ１０１が人の手の接近を検知し且つ上記第２センサ１０２がペーパー１０ａの不存在を検知したときにその作動が開始される構成であることを特徴としている。【００１３】
本願の第４の発明では、略矩形箱状の外観形体をもちトイレスペース内の縦壁面Ｗに取付けられるホルダー本体部２内に、ペーパーロール１０を巻戻し可能に支持するペーパー支持機構５と、該ペーパーロール１０からペーパー１０ａを巻戻して送り出すペーパー送り機構６と、上記ペーパー送り機構６から送り出されるペーパー１０ａを順次ジグザグ状に折り畳んでこれを取出口３４から取出し可能に保持するペーパー受部３と、上記ペーパー送り機構６と上記ペーパー受部３の間で上記ペーパー１０ａを切断するペーパー切断機構７を備えるとともに、上記ホルダー本体部２の四つの側壁面２ａ〜２ｄの何れか一の側壁面２ａ部分に上下方向に開閉される開閉カバー４が設けられたペーパーホルダー装置において、上記ホルダー本体部２の四つの側壁面２ａ〜２ｄのうち、上記開閉カバー４が配置された側壁面２ａを除く他の三つの側壁面２ｂ〜２ｄを、選択的に上記縦壁面Ｗへの取付面として利用し得るように構成したことを特徴としている。【００１４】
本願の第５の発明では、上記第４の発明に係るペーパーホルダー装置において、上記取出口３４を、上記ホルダー本体部２の四つの側壁面２ａ〜２ｄの何れか一の側壁面２ａに対応する部位に、又は何れか二の側壁面２ａ、２ｂにそれぞれ対応する部位に、又は何れか三の側壁面２ａ、２ｂ、２ｃにそれぞれ対応する部位に、又は四つの側壁面２ａ〜２ｄ
の全てにそれぞれ対応する部位に、設けたことを特徴としている。
【発明の効果】
【００１５】
本願発明では次のような効果が得られる。【００１６】
（ａ）本願の第１の発明に係るペーパーホルダー装置によれば、ペーパーロール１０を巻戻し可能に支持するペーパー支持機構５と、該ペーパーロール１０からペーパー１０ａを巻戻して送り出すペーパー送り機構６と、上記ペーパー送り機構６から送り出されるペーパー１０ａを順次ジグザグ状に折り畳んでこれを保持するペーパー受部３と、上記ペーパー送り機構６と上記ペーパー受部３の間で上記ペーパー１０ａを切断するペーパー切断機構７を備えてなるペーパーホルダー装置において、上記ペーパー送り機構６とペーパー切断機構７を、単一の駆動ギヤ機構９によって択一的に駆動するように構成しているので、上掲各特許文献に示されるような２モータ式の駆動機構を備えた従来のペーパーホルダー装置に比して、モータの設置数の減少によって外観形体のコンパクト化及び低コスト化が図られるとともに、駆動機構の構造の簡略化が促進される。【００１７】
（ｂ）  本願の第２の発明に係るペーパーホルダー装置によれば、上記（ａ）に記載の効果に加えて以下のような特有の効果が得られる。即ち、この発明のペーパーホルダー装置では、上記駆動ギヤ機構９を、可逆回転するモータ６１と、該モータ６１の駆動力を受けて正転方向と逆転方向へ選択的に回転駆動され且つ上記駆動力によって第１の位置と第２の位置の間で揺動変位する駆動ギヤ６４を備え、上記駆動ギヤ６４は、上記第１の位置に設定された状態では上記ペーパー送り機構６に備えられた送りギヤユニット６８に噛合して該ペーパー送り機構６を回転駆動する一方、上記第２の位置に設定された状態では上記ペーパー切断機構７に備えられた切断駆動ギヤ５９に噛合して該ペーパー切断機構７を回転駆動するように構成しているので、上記モータ６１による駆動対象の変更が該モータ６１の回転方向の切り換えのみによって自動的に行われ、例えば、上記ペーパー送り機構６と上記ペーパー切断機構７をそれぞれ個別のモータによって駆動し、これら各モータの作動制御をそれぞれ個別に行う構成の場合に比して、その制御系が簡略化され、低コスト化が促進されるとともに、駆動対象の変更に伴う作動上の信頼性が向上することになる。【００１８】
（ｃ）  本願の第３の発明に係るペーパーホルダー装置によれば、上記（ａ）に記載の効果に加えて以下のような特有の効果が得られる。即ち、この発明のペーパーホルダー装置では、人の手の接近の有無を検知する第１センサ１０１と、上記ペーパー受部３におけるペーパー１０ａの有無を検知する第２センサ１０２を備え、上記駆動ギヤ機構９が、上記第１センサ１０１が人の手の接近を検知し且つ上記第２センサ１０２がペーパー１０ａの不存在を検知したときにその作動が開始されるように構成しているので、例えば、ペーパー１０ａの使用を欲する人がいないにも拘らず、あるいは、上記ペーパー受部３に上記ペーパー１０ａが折畳状態で存在しているにも拘らず、ペーパー１０ａの作成動作が開始されると、というような事態の発生が未然に且つ確実に回避され、ペーパーホルダー装置１の使用上における利便性及び信頼性が向上する。【００１９】
（ｄ）  本願の第４の発明に係るペーパーホルダー装置によれば、略矩形箱状の外観形体をもちトイレスペース内の縦壁面Ｗに取付けられるホルダー本体部２内に、ペーパーロール１０を巻戻し可能に支持するペーパー支持機構５と、該ペーパーロール１０からペーパー１０ａを巻戻して送り出すペーパー送り機構６と、上記ペーパー送り機構６から送り出されるペーパー１０ａを順次ジグザグ状に折り畳んでこれを取出部３４から取出し可能に保持するペーパー受部３と、上記ペーパー送り機構６と上記ペーパー受部３の間で上記ペーパー１０ａを切断するペーパー切断機構７を備えるとともに、上記ホルダー本体部２の四つの側壁面２ａ〜２ｄの何れか一の側壁面２ａ部分に上下方向に開閉される開閉カバー４が設けられたペーパーホルダー装置において、上記ホルダー本体部２の四つの側壁面
２ａ〜２ｄのうち、上記開閉カバー４が配置された側壁面２ａを除く他の三つの側壁面２ｂ〜２ｄを、選択的に上記縦壁面Ｗへの取付面として利用し得るように構成しているので、例えば、ペーパーホルダー装置が設置されるトイレスペース内における便器の配置（トイレスペースの縦壁面Ｗに対する便器の設置方向とか、側壁面との間隔等）、あるいは便座に着座した人がペーパーホルダー装置からペーパー１０ａを取り出す場合の使い勝手等を考慮して、上記縦壁面Ｗへの上記ペーパーホルダー装置の取付方向を選択的に設定することができ、例えば、ペーパーホルダー装置の縦壁面Ｗへの取付方向が一定に固定されているような場合に比して、ペーパーホルダー装置の使用上の利便性が格段に向上し、延いてはペーパーホルダー装置の商品価値の向上に寄与する。【００２０】
（ｅ）  本願の第５の発明に係るペーパーホルダー装置によれば、上記（ｄ）に記載の効果に加えて以下のような特有の効果が得られる。即ち、この発明のペーパーホルダー装置では、上記取出部３４を、上記ホルダー本体部２の四つの側壁面２ａ〜２ｄの何れか一の側壁面２ａに対応する部位に、又は何れか二の側壁面２ａ、２ｂにそれぞれ対応する部位に、又は何れか三の側壁面２ａ、２ｂ、２ｃにそれぞれ対応する部位に、又は四つの側壁面２ａ〜２ｄの全てにそれぞれ対応する部位に、設けているので、上記ペーパーホルダー装置の使用者は自分の着座位置において最も取り出し易い位置の取出部３４からペーパー１０ａを取り出すことができ、ペーパーホルダー装置の使用者の使用上の利便性がより一層向上する。
【図面の簡単な説明】
【００２１】
【図１】本願発明の第１の実施の形態に係るペーパーホルダー装置の使用状態における外観斜視図である。
【図２】図１に示したペーパーホルダー装置において開閉カバーを開いた状態の外観斜視図である。
【図３】図１に示したペーパーホルダー装置において、その内部構造を現した斜視図である。
【図４】図１のＩＶ−ＩＶ断面図である。
【図５】回転刃ユニットの回転刃収納状態における斜視図である。
【図６】図５のＶＩ矢視図である。
【図７】回転刃ユニットの回転刃露出状態における斜視図である。
【図８】図７のＶＩＩＩ矢視図である。
【図９】図５の斜視図において視点位置を変更した場合の斜視図である。
【図１０】固定刃ユニットの固定刃収納状態における斜視図である。
【図１１】図１０のＸＩ−ＸＩ断面図である。
【図１２】固定刃ユニットの固定刃突出状態における斜視図である。
【図１３】図１２のＸＩＩＩ−ＸＩＩＩ断面図である。
【図１４】回転刃ユニットと固定刃ユニットの位置決め状態説明図である。
【図１５】図１に示したペーパーホルダー装置において、一方の側カバーを取り除いた状態の外観斜視図である。
【図１６】図１５に示した駆動ギヤ機構の全体構造を示す斜視図である。
【図１７】図１６に示した駆動ギヤ機構の分解斜視図である。
【図１８】駆動ギヤ機構の、ペーパー送出部駆動時の作動説明図である。
【図１９】駆動ギヤ機構の、ペーパー切断部駆動時の作動説明図である。
【図２０】モータの制御系の構成を示すブロック図である。
【図２１】ペーパーホルダー装置の使用時における作動制御のフローチャート図である。
【図２２】本願発明の第２の実施の形態に係るペーパーホルダー装置の使用状態における外観斜視図である。
【図２３】図２２に示すペーパーホルダー装置の開蓋状態における斜視図である。
【図２４】図２２に示したペーパーホルダー装置の他の設置例を示す斜視図である。
【図２５】本願発明の第３の実施の形態に係るペーパーホルダー装置の使用状態における外観斜視図である。
【図２６】図２５に示すペーパーホルダー装置の開蓋状態における斜視図である。
【図２７】図２５に示したペーパーホルダー装置の他の第１の設置例を示す斜視図である。
【図２８】図２５に示したペーパーホルダー装置の他の第２の設置例を示す斜視図である。
【図２９】本願発明の第４の実施の形態に係るペーパーホルダー装置の使用状態における外観斜視図である。
【図３０】図２９に示すペーパーホルダー装置の開蓋状態における斜視図である。
【図３１】図２９に示したペーパーホルダー装置の他の設置例を示す斜視図である。
【図３２】本願発明の第５の実施の形態に係るペーパーホルダー装置の使用状態における外観斜視図である。
【図３３】図３２に示したペーパーホルダー装置の他の方向からの斜視図である。
【発明を実施するための形態】
【００２２】
以下、本願発明を好適な実施形態に基づいて具体的に説明する。
【００２３】
「Ｉ：第１の実施形態」
図１〜図４には、本願発明の第１の実施形態に係るペーパーホルダー装置１が示されて
いる。このペーパーホルダー装置１は、例えば、トイレの縦壁面Ｗに取付けられ、その内部にトイレットペーパーを巻回して成るペーパーロール１０を保持し、使用者の要求に応じて該ペーパーロール１０からペーパー１０ａを所定長さだけ送り出し、これをジグザグ状に折り畳むとともに、この折り畳まれたペーパー１０ａを上記ペーパーロール１０寄り位置で切断して使用に供するものであって、上記ペーパー１０ａの送り出しから切断までの一連の動作が自動的に行われるように構成されている。係る自動動作によって、使用者が手でペーパー１０ａを引き出し、これを折り畳んで切り取る、というような手間が省け、特に高齢者にとっては好適なものとなる。
【００２４】
このような一連の動作を自動的に行う上記ペーパーホルダー装置１は、次述するホルダー本体部２と、該ホルダー本体部２の下部に配置されたペーパー受部３と、上記ホルダー本体部２の前面から上面に至る部位を必要に応じて開閉蓋する開閉カバー４を備えて構成される。以下、これら各部の構成を具体的に説明する。
【００２５】
「ホルダー本体部２」
上記ホルダー本体部２は、図１〜図４に示すように、左右一対の側壁２１，２１と背面壁２３を備えるとともに、該各側壁２１，２１の外側をそれぞれ側部カバー２２，２２で覆って構成される。また、このホルダー本体部２の前面及び上面は連続した開口部とされており、この開口部には次述の開閉カバー４が取付けられる。さらに、この開口部は上記ホルダー本体部２の底面側まで連続し、ここには後述のペーパー受部３が配置されている。
【００２６】
そして、上記ホルダー本体部２の内室２０（即ち、上記左右一対の側壁２１，２１と、背面壁２３と、上記ペーパー受部３と上記開閉カバー４で囲まれた空間部）には、次述のペーパー支持機構５とペーパー送り機構６とペーパー切断機構７及びペーパー折畳機構８が配置されている。なお、符号１１３は、上記開閉カバー４に設けられた覗き窓であって、上記開閉カバー４を閉じた状態でも、この覗き窓１１３から内部のペーパーロール１０の状況を確認することができる。
【００２７】
「ペーパー支持機構５」
上記ペーパー支持機構５は、ペーパーロール１０をその下側から巻き戻し可能に支持するものであって、上記内室２０の下部位置において上記左右一対の側壁２１，２１に跨って回転自在に支承された前後一対の支持ロール１１，１１を主体部として構成されるが、さらに上記支持ロール１１，１１に支持されたペーパーロール１０の前後方向への揺動を規制する付帯部として、上記ホルダー本体部２の背面壁２３の前面側に付設された湾曲板状のロールガイド１５と、後述するペーパー切断機構７の回転刃ユニット７Ａ側に付設された湾曲板材１６を備えている。
【００２８】
「ペーパー送り機構６」
上記ペーパー送り機構６は、図３及び図４に示すように、上記ホルダー本体部２の内室２０の前側上部において、上記左右一対の側壁２１，２１間に跨って上下方向に接近配置された上側の駆動ローラ５１と下側の従動ロール５２、及び上記開閉カバー４のコーナ部近傍に横設配置された押えロール５３を備えて構成される。
【００２９】
上記駆動ローラ５１は、上記ホルダー本体部２の一方の側壁２１の外側に配置された後述の駆動ギヤ機構９によって回転駆動される。上記従動ロール５２は、ベルト５４によって上記駆動ローラ５１から回転力を受けて該駆動ローラ５１と一体的に且つ同一方向へ回転される。上記押えロール５３は、図４に示すように、上記開閉カバー４の閉状態において上記駆動ローラ５１に押圧接触され、該駆動ローラ５１からの回転力を受けて該駆動ローラ５１とは反対方向へ回転される。
【００３０】
従って、上記開閉カバー４を開いた状態において、上記ペーパー支持機構５の上記支持ロール１１，１１に支持されたペーパーロール１０から引き出したペーパー１０ａを上記駆動ローラ５１及び従動ロール５２の外側を通して下方へ引き出し（図２、図４参照）、この状態で上記開閉カバー４を閉じて上記押えロール５３を上記駆動ローラ５１に押圧接触させることで、該ペーパー１０ａは上記駆動ローラ５１と押えロール５３の間に挟持される（ペーパー１０ａのセット状態）。このセット状態から、上記駆動ローラ５１が回転されると、上記ペーパー１０ａは該駆動ローラ５１と押えロール５３によって順次下方へ送り出されることになる。なお、上記従動ロール５２は、上記駆動ローラ５１と押えロール５３によって送り出されるペーパー１０ａの揺れを抑えるものである。
【００３１】
「ペーパー折畳機構８」
上記ペーパー折畳機構８は、上記ホルダー本体部２の下端側に取付けられて、上記ペーパー送り機構６から送り出されるペーパー１０ａをその厚さ方向へ交互に折り畳んで使用に供させるものであって、図１〜図４に示すように、手前側から奥側へ下降傾斜する平坦な底壁３１と、該底壁３１の周囲を囲むとともに前面側においては所定幅でその上端から上記底壁３１にかけて切り込まれた取出部３４が設けられたペーパー受部３で構成される。
【００３２】
また、上記ペーパー受部３の奥側には、ペーパー１０ａの折畳幅を規定する規定板３５が配置される。この規定板３５は、上記周壁３３側に設けた調整部３６の複数の嵌合溝３７の何れかに選択的に嵌合されることで、ペーパー１０ａの折畳幅を増減設定できるようになっている。
【００３３】
「ペーパー切断機構７」
上記ペーパー切断機構７は、図４に示すように、回転刃ユニット７Ａと固定刃ユニット７Ｂを備えて構成される。
【００３４】
「回転刃ユニット７Ａ」
上記回転刃ユニット７Ａは、図５〜図９に示すように、支持ブラケット７０に回転部６９を組み付けて構成される。
【００３５】
上記支持ブラケット７０は、略Ｓ字形の湾曲断面形状をもつ横長の湾曲板材１６と、該湾曲板材１６の湾曲方向中段の左右両端部において該湾曲板材１６の凸面側へ延出する延設部７２を備えて構成される。また、上記湾曲板材１６の上端部１６ａは上記延設部７２の延出側へ湾曲させて該延設部７２と上下方向に離間対向するようにしている。従って、上記支持ブラケット７０には、上記延設部７２と上記湾曲板材１６の上端部１６ａの間に所要の空間が形成される。そして、この空間部分に後述の回転部６９が収納配置される。
【００３６】
さらに、左右一対の上記延設部７２、７２には、上方へ突出する楔状形体をもつ突起７３がそれぞれ形成されている。また、上記湾曲板材１６の上端部１６ａの左右両端部には、上下方向に延びる受け溝７９が形成されている。さらに、図９に示すように、一方の延設部７２の側部には、手前側に向かって下降傾斜する面で構成されるストッパー７８が設けられている。
【００３７】
上記回転部６９は、丸棒体の外周面の一部をその軸方向の全長に亘って略Ｌ形に切落した異形棒体でなり（図１４参照）且つその両端にはそれぞれ軸方向外方へ延出する支軸７５が設けられた刃ホルダー７４を備えて構成される。この刃ホルダー７４の円弧状の外周面をもつ部分（即ち、非切落し部分）には、帯板状の回転刃７１が、上記回転部６９の回転に伴って所定のシャー角をもつように、その一端側と他端側との間に所定の回転位相が
確保された状態で取付けられている。なお、この回転刃７１は、その刃先７１ａの回転軌跡円が、該回転刃７１の軸方向の何れの位置においても一致するようにその取付状態が設定されることは言うまでもない。
【００３８】
また、上記刃ホルダー７４の一端側には、円形リング状のガイド輪７７が該刃ホルダー７４と同軸上に取付けられている。このガイド輪７７の外周面は、上記回転刃７１の刃先７１ａの回転軌跡円に合致するように設定されている。
【００３９】
さらに、上記刃ホルダー７４の略Ｌ形の切落し面の部分には、略Ｔ形の断面形状をもつプロテクター７６が取付けられており、上記回転刃７１は上記刃ホルダー７４の軸心位置を挟んで上記プロテクター７６の反対側に位置している。従って、上記回転刃７１は、上記プロテクター７６側から見た場合、常に該プロテクター７６の背面側に位置し、図６に示すように、上記プロテクター７６が前面に臨んだ回転位置では、該プロテクター７６に覆われて外部への露出が阻止された状態となる。
【００４０】
上記回転部６９の回転方向は、図５及び図６に示すように、上記回転刃７１が該回転部６９の上方側から手前側を通って下方側へ移動するような方向（矢印ｒ方向）に設定されている。そして、この回転部６９は、図示しない駆動機構によって一回転ずつ回転駆動されるが、その回転の開始位置（即ち、停止位置）は、図６に示すように、上記プロテクター７６が上記支持ブラケット７０の手前側において起立し、上記回転刃７１が上記プロテクター７６の背面側で後方に向かって延出した位置とされる。上記回転部６９は、上記停止位置から回転を開始し、図８に示すように上記回転刃７１が上記支持ブラケット７０の手前側を下降移動し、再度、図６に示す停止位置に達するまでの一回転だけ回転駆動される。従って、上記停止位置においては、上記回転刃７１は上記プロテクター７６によって外部への露出が阻止されることになる。
【００４１】
なお、この回転部６９の回転駆動は、上記ペーパー送り機構６の送り動作が停止された時点、あるいは停止時点より所定時間だけ早い時点から開始されるが、このペーパー送り機構６の作動と連動した上記回転部６９の回転制御は、後述する駆動ギヤ機構９の制御手段（図示省略）によって自動的に行われる。
【００４２】
「固定刃ユニット７Ｂ」
上記固定刃ユニット７Ｂは、上記開閉カバー４側に配置されて、該開閉カバー４の閉状態時、即ち、ペーパーホルダー装置１の使用状態時において、上記回転刃ユニット７Ａの上記回転刃７１と協働してペーパー１０ａを切断するものであって、図１０〜図１３に示すように、支持ブラケット８０に固定刃８３を取付けて構成される。
【００４３】
上記支持ブラケット８０は、横長湾曲板状で且つその湾曲方向略中央に横長の開口９３を設けた湾曲板部８１ａと該湾曲板部８１ａの上端から上方へ立ち上がる平板状のガイド板部８１ｂからなる本体部８１と、上記湾曲板部８１ａの左右両端部において手前側へ延出する縦壁部８２、８２を備えて構成される。また、上記湾曲板部８１ａの内面上部には、上記ガイド板部８１ｂの下端位置から背面側へ向けて凹入する凹部９５が形成されている。
【００４４】
さらに、上記支持ブラケット８０の上記各縦壁部８２、８２の底面には、上方へ向かって切り込む嵌合溝９０がそれぞれ形成されるとともに、上記各縦壁部８２の上端部には、下方へ向かう楔状のガイド突起８９がそれぞれ設けられている。
【００４５】
上記固定刃８３は、所定長さの帯板材で一体形成されるものであって、一の稜線部分に刃先８３ａを設けている。この固定刃８３の長さ方向両端部にはそれぞれ支軸８４が軸方
向外方へ向けて突設されており、該固定刃８３はこれら各支軸８４を上記支持ブラケット８０の上記各縦壁部８２、８２に回転自在に枢支させることで該支持ブラケット８０側に取付けられる。
【００４６】
また、上記固定刃８３の一方の支軸８４には、揺動レバー８８が回動自在に取付けられている。そして、上記固定刃８３は、上記支軸８４に取付けられたバネ８５の付勢力によって、該固定刃８３の刃先８３ａ側の側面が上記揺動レバー８８に設けたストッパー９１に当接するように付勢されることで、該刃先８３ａが上記凹部９５側から手前側へ突出す方向における、該揺動レバー８８に対する最大回動位置が規定されている。なお、このストッパー９１との当接によって上記固定刃８３の最大回動位置が規制された状態で、例えば、該固定刃８３の刃先８３ａにこれを奥側へ押し込むような外力が掛かった場合には、上記固定刃８３は上記バネ８５の付勢力に抗して上記凹部９５側へ回動される。
【００４７】
一方、上記揺動レバー８８は、上記枢支点から適宜離間した位置に設けた支軸８６に取付けられたバネ８７の付勢力によって、上記固定刃８３を上記支持ブラケット８０の上記凹部９５内に収納させる方向に揺動付勢されている。また、この揺動レバー８８の先端部は、上記開閉カバー４の閉状態においては、上記回転刃ユニット７Ａ側の上記ストッパー７８と係合し、該ストッパー７８側から押し込み方向への外力を受けるようになっている。
【００４８】
従って、図１１に示すように、上記揺動レバー８８の先端側に外力が作用していない状態、即ち、上記開閉カバー４が開状態にあって上記揺動レバー８８の先端側が自由端とされている状態では、上記揺動レバー８８が上記バネ８５によって上記支軸８４を中心として矢印ｂ方向へ回動付勢され、該揺動レバー８８に連結された上記固定刃８３は矢ｄ方向へ回動して上記本体部８１の凹部９５側に収納され、その刃先８３ａは該凹部９５の口縁と略面一とされる。
【００４９】
これに対して、図１３に示すように、上記開閉カバー４が閉状態にあって上記揺動レバー８８の先端部が上記回転刃ユニット７Ａ側のストッパー７８と係合した状態では、上記揺動レバー８８が上記ストッパー７８によって押し込まれて矢印ａ方向に回動し、この揺動レバー８８の回動と共に上記固定刃８３は上記支軸８４回りに矢印ｃ方向へ回動し、上記凹部９５から手前側へ突出し、その刃先８３ａは上記回転刃ユニット７Ａ側の回転刃７１の刃先７１ａに接触し得る状態とされる（図１４参照）。
【００５０】
一方、上述のように構成された上記固定刃ユニット７Ｂは、図１３及び図１４に示すように、上記支持ブラケット８０の背面側に突設した取付ボス９２を上記開閉カバー４の取付部４１にビス４３で固定することで該開閉カバー４側に取付けられるが、この場合、上記取付ボス９２と上記取付部４１との間にはバネ４２が介在されており、このバネ４２の弾性変形に対応して上記固定刃ユニット７Ｂは上記開閉カバー４に対して接離方向に相対移動可能とされている。
【００５１】
「回転刃ユニット７Ａと固定刃ユニット７Ｂの位置決め」
上記回転刃ユニット７Ａと固定刃ユニット７Ｂの相対的な位置決めは、図１４に示すとおりである。即ち、上記回転刃ユニット７Ａは上記ホルダー本体部２側に固定されており、該ホルダー本体部２への取付け位置は予め固定的に設定されている。これに対して、上記固定刃ユニット７Ｂは、上記開閉カバー４側に取付けられており、該開閉カバー４側への取付け位置は、上記バネ４２の弾性変形の範囲内で変位可能であり、固定的には設定されていない。従って、上記開閉カバー４を閉じた状態においては、上記回転刃ユニット７Ａと固定刃ユニット７Ｂが適正な相対位置関係に有り且つこれが維持されるようにする必要がある。
【００５２】
このため、この実施形態のペーパーホルダー装置１では、以下のような二つの位置決め手法を採用している。
【００５３】
第１の位置決め手法
上記回転刃ユニット７Ａの支持ブラケット７０の左右一対の延設部７２，７２に上記突起７３を形成する一方、上記固定刃ユニット７Ｂの左右一対の縦壁部８２の下端には上方へ切れ込む嵌合溝９０を形成し、上記開閉カバー４の開状態からの閉作動に際して、上記回転刃ユニット７Ａ側の上記各突起７３、７３に上記固定刃ユニット７Ｂ側の上記各嵌合溝９０を嵌合させることで、上記回転刃ユニット７Ａと固定刃ユニット７Ｂの上下方向及び前後方向の位置決めを行うようにしている。
【００５４】
第２の位置決め手法
上記回転刃ユニット７Ａの上記支持ブラケット７０の左右両端部に受け溝７９をそれぞれ設ける一方、上記固定刃ユニット７Ｂの上記支持ブラケット８０の左右両端部に上記ガイド突起８９をそれぞれ設け、上記開閉カバー４の開状態からの閉作動に際して、上記回転刃ユニット７Ａ側の上記各受け溝７９に上記固定刃ユニット７Ｂ側の上記各ガイド突起８９を嵌合させることで、上記回転刃ユニット７Ａと固定刃ユニット７Ｂの左右方向（横幅方向）の位置決めを行うようにしている。
【００５５】
これら二つの手法による位置決めによって、上記開閉カバー４を閉じた状態、即ち、上記ペーパーホルダー装置１の使用時状態においては、図１４に示すように、上記固定刃８３の刃先８３ａが前方側に突出し、その刃先８３ａは上記回転刃ユニット７Ａ側の上記ガイド輪７７の外周面に接触し、該回転刃７１の刃先７１ａと固定刃８３の刃先８３ａの相対位置が適正に設定される。
【００５６】
「駆動ギヤ機構９」
駆動ギヤ機構９は、上記ペーパー送り機構６と上記ペーパー切断機構７を択一的に駆動するものであって、図１５に示すように、上記ホルダー本体２の一方の側壁２１の外面側に配置される。
【００５７】
上記駆動ギヤ機構９は、図１５〜図１７に示すように、上記側壁２１に、ウォームギヤ６２を備えた可逆回転式のモータ６１と、該ウォームギヤ６２に噛合する大ギヤ６３Ａと小ギヤ６３Ｂを同軸上に一体形成したウォームホイール６３と該小ギヤ６３Ｂに噛合する駆動ギヤ６４を揺動アーム６７に取付けてなる駆動ギヤユニット６０と、上記ペーパ送り機構６の駆動ローラ５１の軸端に取付けられた送りギヤ６８Ａと該送りギヤ６８Ａに噛合するとともに上記駆動ギヤ６４と噛合可能とされたアイドルギヤ６８Ｂを備えてなる送りギヤユニット６８と、上記回転刃ユニット７Ａの支軸７５に取付けられて上記駆動ギヤ６４に噛合可能とされた切断駆動ギヤ５９を、それぞれ配置して構成される。
【００５８】
そして、上記揺動アーム６７は、上記ウォームホイール６３を支承するギヤ軸６５に対して回動自在に取付けられている。また、上記駆動ギヤ６４は上記揺動アーム６７の端部に取付けられたギヤ軸６６に支承されている。
【００５９】
従って、この駆動ギヤ機構９においては、上記モータ６１が正転するときには、図１８に示すように、上記モータ６１の回転力が上記ウォームギヤ６２から上記ウォームホイール６３に伝達され、さらに該ウォームホイール６３の回転（矢印Ｌ方向）が上記駆動ギヤ６４に伝達され、該駆動ギヤ６４は矢印Ｒ方向へ回転駆動される。この際、上記駆動ギヤ６４には、上記支軸６５を回転中心とする回転力が作用するため、該駆動ギヤ６４は上記揺動アーム６７と一体的に矢印Ｎ方向へ回動し、上記アイドルギヤ６８Ｂに噛合すること
になる。従って、上記モータ６２によって、上記送りギヤ６８Ａが回転駆動されることで、上記ペーパー送り機構６が作動し、ペーパー１０ａの送り作用がなされる。以下、このときの上記駆動ギヤ６４の位置を「第１の位置」という。
【００６０】
逆に、上記モータ６２が逆転するときには、図１９に示すように、上記モータ６１の回転力が上記ウォームギヤ６２から上記ウォームホイール６３に伝達され、さらに該ウォームホイール６３の回転（矢印Ｒ方向）が上記駆動ギヤ６４に伝達され、該駆動ギヤ６４は矢印Ｌ方向へ回転駆動される。この際、上記駆動ギヤ６４には、上記支軸６５を回転中心とする回転力が作用するため、該駆動ギヤ６４は上記揺動アーム６７と一体的に矢印Ｍ方向へ回動し、上記切断駆動ギヤ５９に噛合することになる。従って、上記モータ６１によって、上記切断駆動ギヤ５９が回転駆動されることで、上記ペーパー切断機構７が作動し、ペーパー１０ａの切断作用がなされる。このときの上記駆動ギヤ６４の位置を「第２の位置」という。
【００６１】
「ペーパーホルダー装置１の作動」
上記ペーパーホルダー装置１には、図２０に示すように、第１センサ１０１と第２センサ１０２と制御器１００が配置される。上記第１センサ１０１は、使用者が上記ペーパー受部３に折畳状態で保持された折畳ペーパー１０ａの取り出しを意図して該ペーパー受部３側へ手を差し出したとき、この手の接近を検知するものである。また、上記第２センサ１０２は、上記ペーパー受部３に上記折畳ペーパー１０ａが存在しているか否かを検知するものである。
【００６２】
そして、この実施形態のペーパーホルダー装置１においては、上記第１センサ１０１と第２センサ１０２の検出信号に基づいて上記モータ６１の作動を制御することで、上記ペーパー１０ａの送り出しからその折り畳み、さらに折り畳まれたペーパー１０ａの切断に至る一連の動作が自動的に行われるように構成している。以下、これを具体的に説明する。
【００６３】
図２０に示すように、上記各センサ１０１，１０２の検出信号はそれぞれ制御器１００に入力される。この制御器１００では、上記各センサ１０１，１０２の検出信号に基づいて、「ペーパー送り動作」及び「ペーパー切断動作」を、予め設定した制御形態の下で実行すべく、上記モータ６１に制御信号を出力してその作動を制御する。
【００６４】
ここで、上記制御形態についての基本思想を説明する。
（ａ）  ペーパーホルダー装置１の作動（即ち、モータ６１の正転起動によるペーパーの送り出し動作）は、上記第１センサ１０１において人の手の接近の検知によって開始される。これは、人による直接的なスイッチ操作を排除して、使用上の利便性、容易性を確保するためである。
【００６５】
但し、第２センサ１０２が上記ペーパー受部３に折畳ペーパー１０ａが存在しないことを検知したことを条件とする。これは、人の不必要な動作に基づくペーパーホルダー装置１の作動開始を回避するためである。
（ｂ）  第１センサ１０１及び第２センサ１０２の検知信号を受けて、モータ６１の正転起動によるペーパー１０ａの送り出し動作が開始された後から、下記（ｅ）の動作が完了するまでの間において第１センサ１０１から検知信号が出力されたとしても、この制御信号は制御上無視する。これは、ペーパーホルダー装置１の作動後における人の動作によって、該ペーパーホルダー装置１の作動に混乱を来たすのを回避し、ペーパーホルダー装置１の一連の作動を円滑に遂行させるためである。
（ｃ）  ペーパー１０ａの送り出し長さ（即ち、折畳み長さ）は、モータ６１による上記ペーパー送り機構６の駆動時間の設定によって調整する。この実施形態では、駆動時間の
設定を制御器１００においてソフト的に行うが、他の実施形態では手動操作によるタイマー設定で行うことも可能である。
（ｄ）  ペーパー１０ａの送り出し完了後におけるペーパー切断動作は、モータ６１の逆転起動によって行う。これは、ペーパー１０ａの「送り出し」と「切断」は、同時に行われることはなく、必ず択一的に行われる動作であることから、上記モータ６１を「送り出し駆動」と「切断駆動」の双方に利用するものである。
（ｅ）  ペーパー切断機構７におけるペーパー１０ａの切断後、モータ６１を正転駆動してペーパー１０ａを所定量送り出す。これは、ペーパー１０ａの切断縁がペーパー切断機構７部分に止まっていると、次回の送り出し時にこの切断縁がペーパー切断機構７部分に引っ掛かって適正な送り出しが阻害される恐れがあるため、予め切断縁をペーパー切断機構７部分より先へ送り出しておく趣旨である。この送り出し量（即ち、予送り量）は、モータ６１によるペーパー切断機構７の駆動時間の設定によって調整する。この実施形態では、駆動時間の設定を制御器１００においてソフト的に行うが、他の実施形態では手動操作によるタイマー設定で行うことも可能である。
【００６６】
ここで、上記ペーパーホルダー装置１の実際の作動を、図２１に示すフローチャートを参照して説明する。
【００６７】
上記ペーパーホルダー装置１の使用に先立って、上記開閉カバー４を開いてペーパーロール１０を上記ペーパー支持機構５側にセットすると共に、該ペーパーロール１０からペーパー１０ａを引き出して、これを上記駆動ローラ５１の上側を通り、さらに上記ペーパー切断機構７の回転刃ユニット７Ａと固定刃ユニット７Ｂの間を通ってその下方側まで引き下げる。しかるのち、上記開閉カバー４を閉じる。この開閉カバー４の閉蓋によって、上記押えロール５３は上記ペーパー１０ａを挟んだ状態で上記駆動ローラ５１に当接する。以上で、上記ペーパーホルダー装置１が使用可能状態とされる。
【００６８】
一方、ペーパーホルダー装置１の使用に伴う上記モータ６１の制御は以下の通りである。
【００６９】
図２１に示すように、まず、ステップＳ１において第１センサ１０１が初回の検知信号を出力し、さらにステップＳ２において第２センサ１０２から検知信号が出力されていないことを条件に、制御が開始される。
【００７０】
上記条件が満足されると、これを受けてモータ６１が正転起動される。このモータ６１の正転起動によって、上記駆動ギヤ６４が図１８の矢印N方向へ揺動して上記「第１の位置」に設定され、上記アイドルギヤ６８Ｂに噛合する。従って、このアイドルギヤ６８Ｂに噛合する送りギヤ６８Ａを介して上記駆動ローラ５１が回転駆動され、上記ペーパーロール１０からペーパー１０ａが送り出される。
【００７１】
このペーパー１０ａの送り出しは、所要送り出し量に対応して予め設定した設定時間「Ｔａ」の間だけ継続される（ステップＳ４）。この設定時間「Ｔａ」の経過によって、上記モータ６１の回転が停止される（ステップＳ５）が、この停止状態は予め設定した設定時間「Ｔｂ」の間だけ継続される。これは、上記モータ６１とか上記駆動ローラ５１の慣性回転を考慮し、次に行われるモータ６１の逆転駆動の適正な開始を担保するためである。
【００７２】
尚、上記ペーパー送り機構６によるペーパー１０ａの送り出し動作が行われている間に、上記ペーパー折畳機構８では上方から垂れ下がり状態で送り出されてくるペーパー１０ａが順次ジグザグ状に折り畳まれる。
【００７３】
上記所定時間「Ｔｂ」の経過とともに、上記モータ６１が逆転駆動され（ステップＳ７）、上記駆動ギヤ機構９の上記駆動ギヤ６４が、図１９の矢印Ｍ方向へ揺動して上記「第２の位置」に設定され、上記切断駆動ギヤ５９に噛合する。従って、この切断駆動ギヤ５９に取付けられた上記ペーパー切断機構７が作動し、ペーパー１０ａの切断作用がなされる。
【００７４】
このペーパー１０ａの切断動作は、設定時間「Ｔｃ」の間継続され（ステップＳ８）、該設定時間「Ｔｃ」の経過とともに上記モータ６１の回転が停止する（ステップＳ９）ことで終了する。
【００７５】
上記モータ６１の停止状態は、予め設定した設定時間「Ｔｄ」の間だけ継続される（ステップＳ１０）が、これは、上記モータ６１とか上記駆動ローラ５１の慣性回転を考慮し、次に行われるモータ６１の正転駆動の適正な開始を担保するためである。
【００７６】
上記設定時間「Ｔｄ」の経過とともに、上記モータ６１の正転駆動が開始され（ステップＳ１１）、再度、上記駆動ローラ５１が回転駆動され、上記ペーパー１０ａの「予送り出し」が設定時間「Ｔｅ］の間だけ実行され、上記ペーパー切断機構７で切断されたペーパー１０ａの切断縁が、該ペーパー切断機構７より下方へ所定長さだけ送り込まれる。
【００７７】
上記設定時間「Ｔｅ」の経過とともに、上記モータ６１の回転が停止され（ステップＳ１３）、これによって上記ペーパーホルダー装置１の一連の動作が終了し、該ペーパーホルダー装置１は次回の使用に備えた待機状態となる。
【００７８】
以上のように、上記ペーパーホルダー装置１は、人が折畳まれたペーパー１０ａの使用を望んで、手を上記ペーパー受部３側へ位置させることで作動が開始され、所定時間後には自動的に上記ペーパー受部３に折畳まれたペーパー１０ａが形成されるものであることから、該ペーパー１０ａを得るための人の動作あるいは操作は殆ど必要とせず、特に高齢者にとってその効果は極めて有用なものとなる。
【００７９】
「ＩＩ：第２の実施形態」
図２２〜図２４には、本願発明の第２の実施形態に係るペーパーホルダー装置１が示されている。
【００８０】
このペーパーホルダー装置１は、上記第１の実施形態に係るペーパーホルダー装置と若干その外観形体（例えば、ペーパー受部３の形状）が異なるものの、その基本構成は上記第１の実施形態に係るペーパーホルダー装置と同様とされ、ホルダー本体部２と、該ホルダー本体部２の下部に配置されたペーパー受部３と、上記ホルダー本体部２の一側面から上面に至る部位を必要に応じて開閉蓋する開閉カバー４を備えるとともに、上記ホルダー本体部２の内室２０にはペーパー支持機構５とペーパー送り機構６とペーパー切断機構７及びペーパー折畳機構８が配置されている。
【００８１】
なお、これら実体的な構成要素である上記ペーパー支持機構５とペーパー送り機構６とペーパー切断機構７及びペーパー折畳機構８の構成及び作用効果は、全て上記第１の実施形態におけるものと同様であるので、第１の実施形態の該当説明を援用し、ここでの説明を省略する。
【００８２】
そして、この第２の実施形態に係るペーパーホルダー装置１が、上記第１の実施形態に係るペーパーホルダー装置１と異なる点は、該ペーパーホルダー装置１の上記縦壁面Ｗへの取付構造と上記ペーパー受部３の構造及び該ペーパー受部３に設けられる取出口３４の形成位置である。
【００８３】
先ず、上記ペーパーホルダー装置１の上記縦壁面Ｗへの取付構造について説明する。上記第１の実施形態に係るペーパーホルダー装置１では、図１及び図４に示すように、上記ホルダー本体部２の背面壁２３のみを上記縦壁面Ｗへの取付面としていたのに対して、この第２の実施形態では、上記ホルダー本体部２に向かって左側の側部カバー２２と、上記背面壁２３を選択的に上記縦壁面Ｗへの取付面として利用できるようにしている。
【００８４】
図２２及び図２３は、上記ホルダー本体部２に向かって左側の側部カバー２２部分を上記縦壁面Ｗへの取付面とした第１の取付構造例である。この第１の取付構造例の場合、上記ホルダー本体部２に向かって右側の側部カバー２２内には上記駆動ギヤ機構９が収納配置されているが、向かって左側の側部カバー２２内にはこのような機構は配置されていないため、その厚さ寸法を、向かって右側の側部カバー２２よりも薄く設定することができる。従って、この向かって左側の側部カバー２２を上記縦壁面Ｗへの取付面とすることで、上記ペーパーホルダー装置１の上記縦壁面Ｗからの延出寸法を小さくすることができ、スペースの限られたトイレスペースへのレイアウト設計の自由度が向上する。
【００８５】
図２４は、上記ホルダー本体部２の背面壁２３を上記縦壁面Ｗへの取付面とした第２の取付構造例である。この第２の取付構造例は、上記第１の実施形態における取付構造と同様である。
【００８６】
次に、上記ペーパー受部３の構造及びこのペーパー受部３に設けられる上記取出口３４の形成位置について説明する。
【００８７】
図２２に示すように、上記ペーパー受部３は、全体として矩形皿状形体をもち、周壁３３の前面壁３３ａと背面壁３３ｂの間隔は固定されている。従って、このペーパー受部３内で折り畳まれて底壁３１上に載置される折畳ペーパー１０ａの折畳幅は一定とされ、この点は上記第１の実施形態ではペーパー受部３に前後方向へ位置調整が可能な規定板３５（図４参照）を設けて折畳ペーパー１０ａの折畳幅を可変調整し得るようにしたものとは異なっている。
【００８８】
しかし、このような規定板３５を設けることなく、上記ペーパー受部３を矩形皿状形体に形成したことで、該ペーパー受部３における上記取出口３４の形成位置の多様化が実現されている。即ち、この実施形態では、上記取出口３４を上記ペーパー受部３の前面壁３３ａではなく、向かって右側の側壁面３３ｃに上記取出口３４を形成している。
【００８９】
このような上記取出口３４の形成位置の設定により、該取出口３４からの折畳ペーパー１０ａの取り出し操作の容易化が図られる。即ち、上記第１の取付構造例の場合には、上述のように上記ホルダー本体部２に向かって左側の側部カバー２２を上記縦壁面Ｗへの取付面としたことで、上記ペーパー受部３の周壁３３のうち、上記開閉カバー４に対応する前面壁３３ａに上記取出口３４が形成されていた場合、該取出口３４と上記縦壁面Ｗとが接近して該取出口３４からの折畳ペーパー１０ａの取り出しに支障が生じることも懸念されるが、上述のように向かって右側の側壁面３３ｃに上記取出口３４を形成したことで、該取出口３４の手前側に大きな操作スペースが確保され、結果的に、上記取出口３４からの折畳ペーパー１０ａの取り出し操作の容易化が図られるものである。
【００９０】
なお、この場合、上記ペーパー受部３の上記取出口３４に対応するように、上記ホルダー本体部２に向かって左側に位置する側部カバー２２に、下方に開口する切欠開口１１０を形成し、上記ペーパー受部３の底壁３１上に折畳み状態で載置される折畳ペーパー１０ａを、上記切欠開口１１０を通して上記取出口３４から取り出すことができるようにしている。
【００９１】
一方、図２４に示す第２の取付構造例の場合には、上述のように上記ホルダー本体部２の背面壁２３を上記縦壁面Ｗへの取付面としているので、上記取出口３４を上記ペーパー受部３の周壁３３のうち、向かって右側の側壁面３３ｃに形成しても、該取出口３４の外側に比較的大きなスペースを確保できるので、該取出口３４からの折畳ペーパー１０ａの取り出し操作が容易である。
【００９２】
なお、上記ホルダー本体部２の上記縦壁面Ｗへの取付け構造に関連して、該ホルダー本体部２に向かって右側の側部カバー２２に、使用者が上記ペーパー受部３に折畳状態で保持された折畳ペーパー１０ａの取り出しを意図して該ペーパー受部３側へ手を差し出したときこの手の接近を検知する上記第１センサ１０１（図２０参照）と、上記ペーパー受部３に上記折畳ペーパー１０ａが存在しているか否かを検知する上記第２センサ１０２（図２０参照）を組み込んでなるセンサ装置１１１と、上記ペーパーホルダー装置１が作動中であることを表示するアラームランプ１１２が配置されている。
【００９３】
また、上記開閉カバー４を開いて行われるペーパーロール１０の着脱は、上記第１の取付構造例及び第２の取付構造例の何れにおいても上記開閉カバー４の開閉方向前方側に十分な作業スペースが確保されるので、問題はない。
【００９４】
「ＩＩＩ：第３の実施形態」
図２５〜図２８には、本願発明の第３の実施形態に係るペーパーホルダー装置１が示されている。
【００９５】
このペーパーホルダー装置１も、上記第２の実施形態に係るペーパーホルダー装置１と同様に、上記第１の実施形態に係るペーパーホルダー装置と若干その外観形体が異なるものの、その基本構成は上記第１の実施形態に係るペーパーホルダー装置と同様とされ、ホルダー本体部２と、該ホルダー本体部２の下部に配置されたペーパー受部３と、上記ホルダー本体部２の一側面から上面に至る部位を必要に応じて開閉蓋する開閉カバー４を備えるとともに、上記ホルダー本体部２の内室２０にはペーパー支持機構５とペーパー送り機構６とペーパー切断機構７及びペーパー折畳機構８が配置されている。
【００９６】
なお、これら実体的な構成要素である上記ペーパー支持機構５とペーパー送り機構６とペーパー切断機構７及びペーパー折畳機構８の構成及び作用効果は、全て上記第１の実施形態におけるものと同様であるので、第１の実施形態の該当説明を援用し、ここでの説明を省略する。
【００９７】
そして、この第３の実施形態に係るペーパーホルダー装置１が、上記第１の実施形態に係るペーパーホルダー装置１と異なる点は、該ペーパーホルダー装置１の上記縦壁面Ｗへの取付構造と上記ペーパー受部３に設けられる取出口３４の形成位置である。
【００９８】
先ず、上記ペーパーホルダー装置１の上記縦壁面Ｗへの取付構造について説明する。上記第１の実施形態に係るペーパーホルダー装置１では、図１及び図４に示すように、上記ホルダー本体部２の背面壁２３のみを上記縦壁面Ｗへの取付面としていたのに対して、この第３の実施形態では、図２５及び図２６に示すように、上記ホルダー本体部２に向かって左側の側部カバー２２を上記縦壁面Ｗへの取付面とする第１の取付構造例と、図２７に示すように、上記ホルダー本体部２の背面壁２３を上記縦壁面Ｗへの取付面とする第２の取付構造例と、図２８に示すように、上記ホルダー本体部２に向かって右側の側部カバー２２を上記縦壁面Ｗへの取付面とする第３の取付構造例を、任意に選択できるようにしている。
【００９９】
次に、上記ペーパー受部３における上記取出口３４の形成位置について説明する。図２５に示す第１の取付構造例の場合には、上述のように上記ホルダー本体部２に向かって左側の側部カバー２２を上記縦壁面Ｗへの取付面としたことで、若干、上記取出口３４からの折畳ペーパー１０ａの取り出しがしにくいと言えますが、本取付構造例は折畳ペーパー１０ａの取り出し性というよりも、寧ろ上記ペーパーホルダー装置１の上記縦壁面Ｗからの延出寸法を小さくしてすることができ、スペースの限られたトイレスペースでのレイアウト性を重視したものと位置付けられます。
【０１００】
図２７に示す第２の取付構造例の場合には、上述のように上記ホルダー本体部２の背面壁２３を上記縦壁面Ｗへの取付面としたことで、上記ペーパー受部３の周壁３３の前面３３ａに設けられた上記取出口３４においては、その手前側に十分な操作スペースが確保され、上記取出口３４からの折畳ペーパー１０ａの取り出しが容易となる。
【０１０１】
図２８に示す第３の取付構造例の場合には、上記ホルダー本体部２に向かって右側の側部カバー２２を上記縦壁面Ｗへの取付面とし、且つ上記取出口３４が上記縦壁面Ｗの面方向と平行な方向に開口しているので、該取出口３４の前方側に大きな操作スペースが確保されるものであり、この点は上記第１の取付構造例の場合と同様である。
【０１０２】
なお、上記ホルダー本体部２の上記縦壁面Ｗへの取付け構造に関連して、上記開閉カバー４に上記センサ装置１１１が、また上記ホルダー本体部２に向かって右側の側部カバー２２の前面に上記アラームランプ１１２が配置されている。
【０１０３】
「ＩＶ：第４の実施形態」
図２９〜図３１には、本願発明の第４の実施形態に係るペーパーホルダー装置１が示されている。
【０１０４】
このペーパーホルダー装置１は、上記第２の実施形態に係るペーパーホルダー装置１と上記第３の実施形態に係るペーパーホルダー装置１の併合案として位置付けられるものである。
【０１０５】
即ち、上記ペーパーホルダー装置１の上記縦壁面Ｗへの取付構造としては、図２９に示すように、上記ホルダー本体部２に向かって左側の側部カバー２２を上記縦壁面Ｗへの取付面とする第１の取付構造例と、図３１に示すように、上記ホルダー本体部２の背面壁２３を上記縦壁面Ｗへの取付面とする第２の取付構造例を、任意に選択できるようにしている。
【０１０６】
一方、上記ペーパー受部３における上記取出口３４の形成位置については、図２９に示すように、上記ペーパー受部３の周壁３３の前面壁３３ａと背面壁３３ｂにはそれぞれ底壁３１に跨る開口状の取出口３４を形成するとともに、該周壁３３の右側壁３３ｃには該右側壁３３ｃの上端に開口しここから上記底壁３１に亘って切れ込む溝状の取出口３４を形成している。
【０１０７】
また、上記ホルダー本体部２においては、向かって右側の側部カバー２２の下端に、上記ペーパー受部３の右側壁に設けた上記取出口３４に対応するようにして切欠開口１１０を設けている。
【０１０８】
そして、図２９及び図３０に示す上記第１の取付構造例では、上記ホルダー本体部２に向かって左側の側部カバー２２を上記縦壁面Ｗへの取付面としているので、上記ペーパーホルダー装置１を上記縦壁面Ｗに取り付けた状態では、上記ペーパー受部３に設けられた上記三つの取出口３４の全てが外部に露出し、これら何れの取出口３４からも折畳ペーパ
ー１０ａを取り出すことができる。
【０１０９】
これに対して、図３１に示す第２の取付構造例では、上記ホルダー本体部２の背面壁２ｄを上記縦壁面Ｗへの取付面としているので、上記ペーパーホルダー装置１を上記縦壁面Ｗに取り付けた状態では、上記ペーパー受部３の周壁のうち背面壁３３ｂに設けられた取出口３４は上記縦壁面Ｗに対向しこれを使用することはできないが、その他の二つの取出口３４は共に外部に露出し、これら何れの取出口３４からも折畳ペーパー１０ａを取り出すことができる。
【０１１０】
「Ｖ：第５の実施形態」
図３２及び図３３には、本願発明の第５の実施形態に係るペーパーホルダー装置１が示されている。
【０１１１】
このペーパーホルダー装置１は、上記第４の実施形態に係るペーパーホルダー装置１の変形例として位置付けられるものである。
【０１１２】
即ち、上記第４の実施形態のペーパーホルダー装置１は、該ペーパーホルダー装置１の上記縦壁面Ｗへの取付構造として、上記ホルダー本体部２に向かって左側の側部カバー２２を上記縦壁面Ｗへの取付面とする第１の取付構造例と、上記ホルダー本体部２の背面壁２３を上記縦壁面Ｗへの取付面とする第２の取付構造例を任意に選択できるようにしたものにおいて、上記ペーパー受部３における上記取出口３４の形成位置を、該ペーパー受部３の周壁３３の前面壁３３ａと背面壁３３ｂ、及び右側壁３３ｃの三位置に設定していた。
【０１１３】
しかし、係る構成によれば、ペーパー受部３の周壁３３の背面壁３３ｂに設けられた上記取出口３４は、上記第２の取付構造例においては使用できない。
【０１１４】
そこで、この第５の実施形態に係るペーパーホルダー装置１では、ペーパーホルダー装置１の上記縦壁面Ｗへの取付構造を、図３２、図３３に示すように、上記ホルダー本体部２の背面壁２３を上記縦壁面Ｗへの取付面とする取付構造のみとする一方、図３２に示すように、上記ペーパー受部３における上記取出口３４の形成位置を、該ペーパー受部３の周壁３３の前面壁３３ａと右側壁３３ｃ及び左側壁３３ｄの三位置に設定し、これら三つの取出口３４を常に選択的に使用することができるようにしたものである。
【０１１５】
なお、この実施形態における上記ペーパー受部３は、上記周壁３３の前面壁３３ａに対向する部分（上記第４の実施形態における背面壁３３ｂの部分）に取出口３４を設ける必要がないことから、この前面壁３３ａに対向する部分を開放させ、上記規制板３５（図４参照）を設けて折畳ペーパー１０ａの折畳幅を可変調整できるようにすべく、右側壁３３ｃと左側壁３３ｄにそれぞれ調製部３６を設けている。
【符号の説明】
【０１１６】
１    ・・ペーパーホルダー装置
２    ・・ホルダー本体部
３    ・・ペーパー受部
４    ・・開閉カバー
５    ・・ペーパー支持機構
６    ・・ペーパー送り機構
７    ・・ペーパー切断機構
７Ａ  ・・回転刃ユニット
７Ｂ  ・・固定刃ユニット
８    ・・ペーパー折畳機構
９    ・・駆動ギヤ機構
１０  ・・ペーパーロール
１１  ・・支持ロール
１５  ・・ロールガイド
１６  ・・湾曲板材
２０  ・・内室
２１  ・・側壁
２２  ・・側部カバー
２３  ・・背面壁
３１  ・・底壁
３３  ・・周壁
３４  ・・取出口
３５  ・・規定板
３６  ・・調整部
３７  ・・嵌合溝
５１  ・・駆動ローラ
５２  ・・従動ロール
５３  ・・押えロール
５４  ・・ベルト
５９  ・・切断駆動ギヤ
６０  ・・駆動ギヤユニット
６１  ・・モータ
６２  ・・ウォームギヤ
６３  ・・ウォームホイール
６４  ・・駆動ギヤ
６５  ・・ギヤ軸
６６  ・・ギヤ軸
６７  ・・揺動アーム
６８  ・・送りギヤユニット
６９  ・・回転部
７０  ・・支持ブラケット
７１  ・・回転刃
７２  ・・延設部
７３  ・・突起
７４  ・・刃ホルダー
７５  ・・支軸
７６  ・・プロテクター
７７  ・・ガイド輪
７８  ・・ストッパー
７９  ・・受け溝
８０  ・・支持ブラケット
８１  ・・本体部
８２  ・・縦壁部
８３  ・・固定刃
８４  ・・支軸
８５  ・・バネ
８６  ・・支軸
８７  ・・バネ
８８  ・・揺動レバー
８９  ・・ガイド突起
９０  ・・嵌合溝
９１  ・・ストッパー
９２  ・・取付ボス
９３  ・・開口
９５  ・・凹部
１００  ・・制御器
１０１  ・・第１センサ
１０２  ・・第２センサ
１１０  ・・切欠開口
１１１  ・・センサ装置
１１２  ・・アラームランプ
１１３  ・・覗き窓
【図１】
2012117582.tif 000003
【図２】
2012117582.tif 000004
【図３】
2012117582.tif 000005
【図４】
2012117582.tif 000006
【図５】
2012117582.tif 000007
【図６】
2012117582.tif 000008
【図７】
2012117582.tif 000009
【図８】
2012117582.tif 000010
【図９】
2012117582.tif 000011
【図１０】
2012117582.tif 000012
【図１１】
2012117582.tif 000013
【図１２】
2012117582.tif 000014
【図１３】
2012117582.tif 000015
【図１４】
2012117582.tif 000016
【図１５】
2012117582.tif 000017
【図１６】
2012117582.tif 000018
【図１７】
2012117582.tif 000019
【図１８】
2012117582.tif 000020
【図１９】
2012117582.tif 000021
【図２０】
2012117582.tif 000022
【図２１】
2012117582.tif 000023
【図２２】
2012117582.tif 000024
【図２３】
2012117582.tif 000025
【図２４】
2012117582.tif 000026
【図２５】
2012117582.tif 000027
【図２６】
2012117582.tif 000028
【図２７】
2012117582.tif 000029
【図２８】
2012117582.tif 000030
【図２９】
2012117582.tif 000031
【図３０】
2012117582.tif 000032
【図３１】
2012117582.tif 000033
【図３２】
2012117582.tif 000034
【図３３】
2012117582.tif 000035
【国際調査報告】
2012117582.tif 000036
2012117582.tif 000037
2012117582.tif 000038
2012117582.tif 000039
2012117582.tif 000040
2012117582.tif 000041
2012117582.tif 000042
2012117582.tif 000043